(57)【要約】【課題】  画像読取装置と画像処理装置間の画像データ送信のコマンド処理を効率よく行わせることの出来る画像処理方法を提供する。【解決手段】  画像読取装置と、画像読取装置に装備された補助記憶装置と画像処理装置からなることを特徴とする。【選択図】        図１
2006203316.tif 000002
【特許請求の範囲】
【請求項１】
原稿ドキュメントを画像データ化する画像読取装置と、画像データを受信して表示および加工を行う画像処理装置と、前述の画像読取装置は画像データを一時保存する補助記憶装置を備える構成において、
画像処理装置が画像読取装置から画像データを取得するために画像データ取得リクエストコマンドを送信するステップと、画像読取装置が画像データ取得リクエストコマンドを受信するステップと、画像読取装置の補助記憶装置に画像データがある場合にその画像データを画像処理装置に送信するステップと、画像読取装置の補助記憶装置に次の画像データもある場合にコマンド再要求フラグをＯＮにした画像データ取得リプライコマンドを画像読取装置が画像処理装置に送信するステップと、画像処理装置が画像読取装置から画像データと画像データ取得リプライコマンドを受信するステップと、画像読取装置から受信した画像データ取得リプライコマンドのコマンド再要求フラグがＯＮである場合に画像処理装置は再び画像データ取得リクエストコマンドを送信するステップ、を有することを特徴とした画像処理方法。
【請求項２】
画像読取装置が画像データ取得リクエストコマンドを受信し、画像読取装置の補助記憶装置に画像データがない場合にコマンド再要求フラグをＯＦＦにした画像データ取得リプライコマンドを画像処理装置に送信するステップと、画像読取装置から受信した画像データ取得リプライコマンドのコマンド再要求フラグがＯＦＦである場合に画像処理装置は画像取得の処理を終えるステップ、を有することを特徴とした請求項１に記載の画像処理方法。
【請求項３】
画像読取装置が画像データ取得リクエストコマンドを受信し、画像読取装置の補助記憶装置にある画像データを画像処理装置に送信した後、画像読取装置の補助記憶装置に次の画像データがない場合にコマンド再要求フラグをＯＦＦにした画像データ取得リプライコマンドを画像処理装置に送信するステップと、画像読取装置から受信した画像データ取得リプライコマンドのコマンド再要求フラグがＯＦＦである場合に画像処理装置は画像取得の処理を終えるステップ、を有することを特徴とした請求項１に記載の画像処理方法。
【発明の詳細な説明】
【技術分野】
【０００１】
本発明は画像処理方法に関するものである。
【背景技術】
【０００２】
近年ではドキュメントの電子データ化が進んでおり、紙媒体に印刷された原稿についても、電子データ化して保存、配布、加工、あるいは再印字して使用したい等の要求が増えてきている。原稿ドキュメントを電子データ化するためには、スキャナ装置などの画像読取装置を用いて画像データに変換し、その画像データの表示や加工を行う画像処理装置に送信する（例えば、特許文献１参照。）。複数枚の原稿ドキュメントである場合には、原稿の用紙を１枚ずつ給紙して画像読取装置に送り込み、読み取りの終わった用紙を画像読取装置から排紙するという一連の動作を自動的に行うことが可能な、原稿自動給排紙装置を備えた画像読取装置も製品化されている。
【特許文献１】特開２０００−１１３０９８号公報
【発明の開示】
【発明が解決しようとする課題】
【０００３】
原稿自動給排紙装置を備えた画像読取装置の実現に伴い、画像読取処理が高速化され、画像処理装置の高速化も求められるようになってきた。しかし、画像読取装置に係わる読取タイミングと、画像処理装置に係わる画像データ受信の要求タイミングは必ずしも同期している必要はない。そこで、画像読取装置に補助記憶装置を備えることにより、高速に読み取られた画像データを補助記憶装置に一時保存し、画像処理装置の求めるタイミングで画像データを取得する手法が考えられている。この構成は画像読取装置と画像処理装置がそれぞれ独立に処理を行うため、全体処理の最適化を望むことができる。
【０００４】
しかしながら、画像読取装置と画像処理装置がそれぞれ独立に処理することに伴い、画像データを送受信するためのコマンド処理が複雑になってしまうことが懸念されている。
【０００５】
本発明は、上述の問題点に着目してなされたものであって、画像読取装置と画像処理装置間の画像データ送信のコマンド処理を効率よく行わせることの出来る画像処理方法を提供することを目的とする。
【課題を解決するための手段】
【０００６】
上記の課題を解決するために、請求項１に係わる画像処理方法は、原稿ドキュメントを画像データ化する画像読取装置と、画像データを受信して表示および加工を行う画像処理装置と、前述の画像読取装置は画像データを一時保存する補助記憶装置を備える構成において、
画像処理装置が画像読取装置から画像データを取得するために画像データ取得リクエストコマンドを送信するステップと、画像読取装置が画像データ取得リクエストコマンドを受信するステップと、画像読取装置の補助記憶装置に画像データがある場合にその画像データを画像処理装置に送信するステップと、画像読取装置の補助記憶装置に次の画像データもある場合にコマンド再要求フラグをＯＮにした画像データ取得リプライコマンドを画像読取装置が画像処理装置に送信するステップと、画像処理装置が画像読取装置から画像データと画像データ取得リプライコマンドを受信するステップと、画像読取装置から受信した画像データ取得リプライコマンドのコマンド再要求フラグがＯＮである場合に画像処理装置は再び画像データ取得リクエストコマンドを送信するステップ、を有することを特徴とする。
【０００７】
請求項２に係わる画像処理方法は、請求項１に係わる画像処理方法において、画像読取装置が画像データ取得リクエストコマンドを受信し、画像読取装置の補助記憶装置に画像データがない場合にコマンド再要求フラグをＯＦＦにした画像データ取得リプライコマンドを画像処理装置に送信するステップと、画像読取装置から受信した画像データ取得リプライコマンドのコマンド再要求フラグがＯＦＦである場合に画像処理装置は画像取得の処理を終えるステップ、を有することを特徴とする。
【０００８】
請求項３にかかわる画像処理方法は、請求項１にかかわる画像処理方法において、画像読取装置が画像データ取得リクエストコマンドを受信し、画像読取装置の補助記憶装置にある画像データを画像処理装置に送信した後、画像読取装置の補助記憶装置に次の画像データがない場合にコマンド再要求フラグをＯＦＦにした画像データ取得リプライコマンドを画像処理装置に送信するステップと、画像読取装置から受信した画像データ取得リプライコマンドのコマンド再要求フラグがＯＦＦである場合に画像処理装置は画像取得の処理を終えるステップ、を有することを特徴とする。
【発明の効果】
【０００９】
本発明によれば、画像データ取得リプライコマンドにコマンド再要求フラグを設けることで、原稿ドキュメントを連続して複数枚読み込み画像データに変換する画像読取装置と、画像データを加工および表示する画像処理装置が、それぞれ独立に処理を行う構成でも、相互のコマンド処理を容易に行うことができる。さらに、この処理プログラムも簡単に実現できることにより、処理的負荷になりにくく、全体の高速化も望むことが出来る。
【００１０】
すなわち本発明によれば、画像データを要求するためのコマンドにコマンド再要求フラグを設けることで、原稿ドキュメントを連続して複数枚読み込み画像データに変換する画像読取装置と、画像データを加工および表示する画像処理装置がそれぞれ独立に処理を行う構成でも、コマンド処理が複雑になることなく処理を行うことができる。さらに、この処理プログラムも簡単に実現できることにより、処理的な負荷になりにくく、全体の高速化を望むことが出来る。
【発明を実施するための最良の形態】
【００１１】
以下の図面を参照して、本発明の実施例を示す。
【００１２】
［画像読取装置および画像処理装置］
図１は本発明の実施例である画像読取装置１０１と、画像読取装置１０１が読み取った画像データを一時保存するための補助記憶装置１０２と、画像データを表示や加工する画像処理装置１０３からなるシステム構成を示すものである。
【００１３】
［画像データ取得コマンド］
図２は本発明の実施例である画像データ取得リクエストコマンド２０１と、画像データ取得リプライコマンド２０２と、コマンド再要求フラグ２０３を示すものである。
【実施例１】
【００１４】
図３は本発明の実施例１である画像読取装置および画像処理装置の動作を示したフローチャートである。図中の「処理１」と「処理２」のフローは画像処理装置の動作を示し、それ以外のフローは画像読取装置の動作を示す。
【００１５】
画像処理装置１０３が画像データを要求するタイミングで、画像読取装置１０１に対して画像データ取得リクエストコマンド２０１を送信する（Ｓ３０１）。
【００１６】
このコマンドを受信した画像読取装置１０１は補助記憶装置１０２に画像データがあるかどうかを調べ（Ｓ３０２）、補助記憶装置１０２に画像データがあれば（Ｓ３０３）、その画像データを画像処理装置１０３に送信する（Ｓ３０４）。さらに、画像読取装置１０１は補助記憶装置１０２に次の画像データがあるかどうか調べ（Ｓ３０６）、画像データがあればコマンド再要求フラグ２０３をＯＮにした画像データ取得リプライコマンド２０２を画像処理装置１０３に送信する（Ｓ３０７）。
【００１７】
画像処理装置１０３は、画像読取装置１０１から送信される画像データがあれば（Ｓ３０９）、それを受信し（Ｓ３１０）、さらに画像データ取得リプライコマンド２０２を受信して、コマンド再要求フラグ２０３を調べる（Ｓ３１１）。コマンド再要求フラグ２０３がＯＮであれば（Ｓ３１２）、画像読取装置１０１に再度画像データ取得リクエストコマンド２０１を送信する（Ｓ３１３）。
【００１８】
画像読取装置１０１は画像処理装置１０３から再び画像データ取得リクエストコマンドを受信するため（Ｓ３１４）、ステップＳ３０２の処理に移る。
【実施例２】
【００１９】
実施例２では、図３のフローチャートを用いて、画像読取装置１０１の補助記憶装置１０２に画像データが存在しなかった場合を説明する。
【００２０】
画像処理装置１０３が画像データを要求するタイミングで、画像読取装置１０１に対して画像データ取得リクエストコマンド２０１を送信する（Ｓ３０１）。
【００２１】
このコマンドを受信した画像読取装置１０１は補助記憶装置１０２に画像データがあるかどうかを調べ（Ｓ３０２）、補助記憶装置１０２に画像データが存在しなければ（Ｓ３０３）、コマンド再要求フラグ２０３をＯＦＦにした画像データ取得リプライコマンド２０２を画像処理装置１０３に送信する（Ｓ３０５）。
【００２２】
画像処理装置１０３は、画像読取装置１０１から送信される画像データがないため次ステップへ進み（Ｓ３０９）、画像データ取得リプライコマンド２０２を受信して、コマンド再要求フラグ２０３を調べる（Ｓ３１１）。コマンド再要求フラグ２０３がＯＦＦであるため（Ｓ３１２）、再度画像データリクエストコマンド２０１を送信することなく、画像受信の処理を終了する。
【実施例３】
【００２３】
実施例３では、図３のフローチャートを用いて、画像読取装置１０１の補助記憶装置１０２に画像データを画像処理装置１０３に送信した後の次の画像が存在しなかった場合を説明する。
【００２４】
画像処理装置１０３が画像データを要求するタイミングで、画像読取装置１０１に対して画像データ取得リクエストコマンド２０１を送信する（Ｓ３０１）。
【００２５】
このコマンドを受信した画像読取装置１０１は補助記憶装置１０２に画像データがあるかどうかを調べ（Ｓ３０２）、補助記憶装置１０２に画像データがあれば（Ｓ３０３）、その画像データを画像処理装置１０３に送信する（Ｓ３０４）。さらに、画像読取装置１０１は補助記憶装置１０２に次の画像データがあるかどうか調べ（Ｓ３０６）、画像データがなければコマンド再要求フラグ２０３をＯＦＦにした画像データ取得リプライコマンド２０２を画像処理装置１０３に送信する（Ｓ３０８）。
【００２６】
画像処理装置１０３は、画像読取装置１０１から送信される画像データがあれば（Ｓ３０９）、それを受信し（Ｓ３１０）、さらに画像データ取得リプライコマンド２０２を受信して、コマンド再要求フラグ２０３を調べる（Ｓ３１１）。コマンド再要求フラグ２０３がＯＦＦであるため（Ｓ３１２）、再度画像データリクエストコマンド２０１を送信することなく、画像受信の処理を終了する。
【図面の簡単な説明】
【００２７】
【図１】本発明の実施例におけるシステム構成を示す図である。
【図２】本発明の実施例におけるコマンドを示す図である。
【図３】本発明の実施例におけるフローチャートである。
【符号の説明】
【００２８】
１０１  画像読取装置
１０２  補助記憶装置
１０３  画像処理装置
２０１  画像データ取得リクエストコマンド
２０２  画像データ取得リプライコマンド
２０３  コマンド再要求フラグ
【図１】
2006203316.tif 000003
【図２】
2006203316.tif 000004
【図３】
2006203316.tif 000005